(57)【要約】      （修正有）【課題】上実が互いに向き合うようにして接続される外装材の目地構造或いは、上実を備えた外装材とサッシ枠を接続する場合の外装材とサッシ枠の目地構造において、上実を切断することなくガスケットによる水密施工を行うことができるようにする。【解決手段】中空部２２、２３を備えた硬質ゴム製の成形品よりなる充填材２１には、上実４下に接合する箇所に両面ブチルテープ８を取付け、下端に斜め下向きに延びる支持リップ２４を突設する。充填材２１を上実下に装着するときには外装材端面との間に発泡ポリエチレンよりなるスペーサ２７を介在させて充填材２１の側面と上実端面とが面一となるようにして両者ブチルテープ８を用いて上実下に接着する。充填材２１を取付た外装材３を下地材２５に取付けたときには、支持リップ２４が下地材２５に弾接して充填材２１を支持する。【選択図】  図６
2004278070.tif 000002
【特許請求の範囲】
【請求項１】
接続端に設けた上実４が互いに向き合うようにして接続される建物外壁の外装材３間の目地構造において、外装材３の接続端の上実４下に装着されて上実４又は外装材３に接着手段８、１８により接着され、ガスケット１６への当り面を備えた充填材２１と、外装材３間の目地１１に装着され、両側に充填材２１に弾接するリップ１３、１４を備えたガスケット１６よりなることを特徴とする目地構造。
【請求項２】
接続端に上実４を備えた外装材３とサッシ枠６が接続される建物外壁の外装材３とサッシ枠６間の目地構造において、外装材３接続端の上実４下に装着されて上実４又は外装材３に接着手段８により接着され、ガスケット１６への当り面を備えた充填材２１と、外装材３とサッシ枠６の間の目地に装着され、両側に充填材２１とサッシ枠６に弾接するリップ１３、１４を備えたガスケット１６よりなることを特徴とする目地構造。
【請求項３】
上記充填材２１は、外装材端面に当てゝ装着したとき、当り面が上実４端面と面一ないしほゞ面一をなすことを特徴とする請求項１又は２記載の目地構造。
【請求項４】
上記充填材２１が中空部２２、２３を備えた硬質ゴム又は硬質樹脂の成形品よりなることを特徴とする請求項１ないし３のいずれかの請求項に記載の目地構造。
【請求項５】
充填材２１と外装材３端面との間には、充填材２１のガスケット１６への当り面が上実４端面と面一ないしほゞ面一となるようにすることができるスペーサ２７を介在させたことを特徴とする請求項４記載の目地構造。
【請求項６】
上記充填材２１には下地材２５に弾接する支持リップ２４が突設されることを特徴とする請求項４又は５記載の目地構造。
【請求項７】
充填材２１と上実４との間が両面粘着テープ８又は発泡フォーム１９を介在させることによってシールされることを特徴とする請求項１ないし６のいずれかの請求項に記載の目地構造。
【発明の詳細な説明】
【０００１】
【発明が属する技術分野】
本発明は、外装材の接続端に設けた上実が互いに向き合うようにして接続される建物外壁の外装材間、或いは接続端に上実を備えた外装材とサッシ枠との間の目地構造に関する。
【０００２】
【従来技術】
建物外壁の外装材間の目地構造としては、図１に示すように接続端に下実２を備えた外装材１と、上実４を備えた外装材３を下実２と上実４が重なるようにして接続し、下実２と上実４の間にゴム、エラストマー、アスファルト等からなるシール材５を介在させてシールしたものが知られる。
【０００３】
図１は、上実４と、下実２を備えた外装材１と外装材３を接続する例を示すものであるが、図２に示すように上実４を備えた外装材３同士を接続しようとする場合、従来は、点線部分で上実４を切断し、接続端面間にガスケットを装着してシールしていた。図３に示すように上実４を備えた外装材３とサッシ枠６を接続する場合も同様、外装材３とサッシ枠６の間にガスケットを装着しようとすると、上実４を切断しなければならない。
【０００４】
【発明が解決しようとする課題】
本発明は、図２に示すように上実が互いに向き合うようにして接続される外装材の目地構造或いは図３に示すように、上実を備えた外装材とサッシ枠を接続する場合の外装材とサッシ枠の目地構造において、上実を切断することなくガスケットによる水密施工を行うことができるようにしたものである。
【０００５】
【課題の解決手段】
請求項１に係わる発明は、接続端に設けた上実が互いに向き合うようにして接続される建物外壁の外装材間の目地構造において、外装材の接続端の上実下に装着されて上実又は外装材に接着手段により接着され、ガスケットへの当り面を備えた充填材と、外装材間の目地に装着され、両側に充填材に弾接するリップを備えたガスケットよりなることを特徴とし、
請求項２に係わる発明は、接続端に上実を備えた外装材とサッシ枠が接続される建物外壁の外装材とサッシ枠間の目地構造において、外装材接続端の上実下に装着されて上実又は外装材に接着手段により接着され、ガスケットへの当り面を備えた充填材と、外装材とサッシ枠の間の目地に装着され、両側に充填材とサッシ枠に弾接するリップを備えたガスケットよりなることを特徴とする。
【０００６】
請求項１に係わる発明においては、上実が互いに向き合うようにして接続される外装材間の目地にガスケットを装着して水密構造とすることができ、請求項２に係わる発明においては、上実を備えた外装材とサッシ枠との間の目地にガスケットを装着して、水密構造とすることができる。
【０００７】
上記各発明で用いる接着手段としては、例えば接着剤、両面ブチルテープ等の両面粘着テープ等を用いることができる。
【０００８】
請求項３に係わる発明は、請求項１又は２に係わる発明において、充填材は、外装材端面に当てゝ装着したとき、当り面が上実端面と面一ないしほゞ面一をなすことを特徴とする。
【０００９】
本発明によると、充填材を外装材端面に当たるようにして装着することにより位置決めされ、当り面が上実端面と面一ないしほゞ面一をなすことにより、ガスケットを押し込んで装着するときガスケットが充填材で支えることなくリップが充填材に確実に弾接するようになる。
【００１０】
請求項４に係わる発明は、請求項１ないし３のいずれかの発明における充填材が中空部を備えた硬質ゴム又は硬質樹脂の成形品よりなることを特徴とする。
本発明において、充填材を形成する硬質ゴム又は硬質樹脂としては、ＪＩＳ  Ａ  硬度が９０度以上のオレフィン系熱可塑性エラストマーＴＰＯ、エチレン・プロピレン・ジエン三元共重合体ＥＰＤＭ、ニトリルゴムＮＢＲ、スチレン・ブタジエンゴムＳＢＲ、クロロプレンゴムＣＲ、シリコーンゴム等の硬質ゴム又は硬質樹脂を用いることができる。
【００１１】
請求項５に係わる発明は、請求項４に係わる発明において、充填材と外装材端面との間には、充填材のガスケットへの当り面が上実端面と面一ないしほゞ面一となるようにすることができるスペーサを介在させたことを特徴とする。
【００１２】
このスペーサは、充填材又は外装材端面に接着させるのが望ましい。スペーサを接着した充填材は、スペーサが外装材端面に当たるまで押し込むことにより横方向の位置決めが行われ、ガスケットへの当り面が上実端面と面一ないしほゞ面一をなすようになる。
【００１３】
外装材端面にスペーサが接着される場合も同様、充填材をスペーサに当たるまで押し込むことにより横方向の位置決めが行われ、ガスケットへの当り面が上実端面と面一ないしほゞ面一をなすようになる。
【００１４】
こゝでスペーサの材質としては、例えば上述するような硬質ゴムや硬質樹脂をもちいることもできるし、軟質のもの、例えば発泡ポリエチレン等の発泡フォームを用いることもできる。軟質のものを用いると、圧着力を変え、圧縮量を変えることにより、充填材と外装材端面との間の隙間が異なるものに対応させることができる。
【００１５】
請求項６に係わる発明は、請求項４又は５に係わる発明において、充填材には下地材に弾接する支持リップが突設されることを特徴とする。
本発明によると、支持リップが下地材に弾接して支持されることにより充填材が上実下に、より確実に取付けられるようになる。
【００１６】
請求項７に係わる発明は、請求項１ないし６のいずれかの発明において、充填材と上実との間が両面粘着テープ又は発泡フォームを介在させることによってシールされることを特徴とする。
本発明によると、目地構造のシール性がより向上する。
本発明で用いる発泡フォームとしては、例えばウレタンフォームを例示することができる。
【００１７】
【発明の実施の形態】
図４に示す充填材２１は、複数の中空部２２、２３を備えた硬質ゴム又は硬質樹脂製の硬質材よりなり、上実４に接合する箇所には両面ブチルテープ８が接着され、下端には斜め下向きに延びる支持リップ２４が突設されている。
【００１８】
図５は、図４に示す充填材２１を用いて施工した外装材３とサッシ枠６の目地構造を示すもので、充填材２１は側面が上実４より出ないようにして重ねてブチルテープ８を上実４に接着して取付けられ、支持リップ２４が下地材２５に弾接して支持されるようになっている。充填材２１を取付けた外装材３を取付後、外装材３とサッシ枠６の目地に上述の実施形態と同様、ガスケット１６を押し込んで装着する。
【００１９】
図６は、充填材２１と外装材端面との間に発泡ポリエチレンよりなるスペーサ２７を介在させて充填材２１の側面を上実端面と面一ないしほぼ面一となるようにしたもので、スペーサ２７は図示する例では、充填材２１に接着剤や両面粘着テープ等により接着しているが、外装材端面に接着してもよいし、単に充填材２１と外装材端面との間に挟み込んで取付けられるようにしてもよい。
【００２０】
図７は、上実４にウレタンフォーム１９を接着し、充填材２１には、外装材端面側の両面ブチルテープ８を接着したもので、ウレタンフォーム１９により、上実４と充填材２１との間がシールされるようになっている。
【００２１】
図８は、上述の充填材２１を上実４が互いに向き合うようにして接着される外装材間の目地１１に適用した例を示すもので、充填材２１は上実４に重ね両面ブチルテープ８にて接着されているが、外装材端面との間にスペーサ２７を介在させてもよいし、両面ブチルテープ８を外装材端面に取り付けて上実４にはウレタンフォーム１９を取付けてもよい。
【００２２】
【発明の効果】
請求項１、２及び４に係わる発明によると、上実が互いに向き合うようにして接続される外装材の目地構造或いは上実を備えた外装材とサッシ枠の間の目地構造において、上実を切断することなく、ガスケットを用いた水密施工を行うことができる。
【００２３】
請求項３に係わる発明によると、ガスケットの装着が充填材で支えることなく確実に行われ、またリップが充填材に弾接してシールが確実に行えるようになる。
請求項５に係わる発明によると、スペーサを用いて充填材のガスケットへの当り面を上実端面と面一ないしほゞ面一となるようにすることにより、ガスケットが充填材で支えることなくスムースに装着できると共に、ガスケットのリップが充填材に弾接してシールを確実に行うことができる。
【００２４】
請求項６に係わる発明によると、支持リップが下地材に弾接することにより充填材が下地材に確実に支持されるようになる。
請求項７に係わる発明によると、水密構造のシール性をより一層向上させることができる。
【図面の簡単な説明】
【図１】建物の外壁目地構造の従来例を示す断面図。
【図２】外装材の上実同士を互いに向き合うようにして接続したときの断面図。
【図３】上実を備えた外装材とサッシ枠を接続したときの断面図。
【図４】充填材の斜視図。
【図５】図４に示す充填材を用いた目地構造の断面図。
【図６】目地構造の別の例の断面図。
【図７】目地構造の更に別の例の断面図。
【図８】目地構造の他の例の断面図。
【符号の説明】
１、３・・外装材
２・・下実
４・・上実
６・・サッシ枠
８・・両面ブチルテープ
９・・胴縁
１２・・柱部
１３、１４・・リップ
１５・・外部リップ
１６・・ガスケット
１９・・ウレタンフォーム
２１・・充填材
２２、２３・・中空部
２４・・支持リップ
２５・・下地材
２７・・スペーサ
【図１】
2004278070.tif 000003
【図２】
2004278070.tif 000004
【図３】
2004278070.tif 000005
【図４】
2004278070.tif 000006
【図５】
2004278070.tif 000007
【図６】
2004278070.tif 000008
【図７】
2004278070.tif 000009
【図８】
2004278070.tif 000010